(57)【要約】【課題】片面読取モードが選択されてスタートキーが操作されたとき、ゲイン調整が可能な状態であっても直ぐにゲイン調整を実行せず、原稿の表面情報の読取りを優先させて原稿読取動作をスピードアップできる画像形成装置を提供する。【解決手段】電源投入時に第一イメージセンサ４６のゲイン調整を実行する第一画像入力部４と原稿搬送装置３により搬送される原稿の裏面情報を読取る密着型の第二イメージセンサ５１を備えた第二画像入力部５により同時に読取る両面読取モードと、前記第一画像入力部４のみで読取る片面読取モードの何れかを選択する読取モード設定部とを備え、前記片面読取モードが選択されて、原稿読取動作を起動するスタートキーが操作されると、前記第二画像入力部５は、前記原稿搬送装置３が所定の状態にセットされ、ゲイン調整が可能な状態であっても、ゲイン調整の実行を中断または中止するように構成されている。【選択図】図１
2010166318.tif 000002
【特許請求の範囲】
【請求項１】
原稿搬送装置により搬送される原稿の表面情報をミラー走査方式の光学系を介して読取る第一イメージセンサを備え、電源投入時に当該第一イメージセンサのゲイン調整を実行する第一画像入力部と、
前記原稿搬送装置に組み込まれ、前記原稿搬送装置により搬送される原稿の裏面情報を読取る密着型の第二イメージセンサを備え、電源投入時以降、前記原稿搬送装置が所定の状態にセットされたときに当該第二イメージセンサのゲイン調整を実行する第二画像入力部と、
前記原稿搬送装置で搬送される原稿の情報を、前記第一画像入力部と第二画像入力部により同時に読取る両面読取モードと、前記第一画像入力部のみで読取る片面読取モードの何れかを選択する読取モード設定部と、原稿読取動作を起動するスタートキーを含む操作部と、を備えている画像形成装置であって、
前記片面読取モードが選択されて前記スタートキーが操作されると、前記第二画像入力部は、前記原稿搬送装置が所定の状態にセットされ、ゲイン調整が可能な状態であっても、ゲイン調整の実行を中断または中止するように構成されている画像形成装置。
【請求項２】
前記第二画像入力部は、前記片面読取モードで原稿の読取動作の終了後にゲイン調整を実行するように構成されている請求項１記載の画像形成装置。
【発明の詳細な説明】
【技術分野】
【０００１】
本発明は、原稿搬送装置により搬送される原稿の表面情報をミラー走査方式の光学系を介して読取る第一イメージセンサを備え、電源投入時に当該第一イメージセンサのゲイン調整を実行する第一画像入力部と、前記原稿搬送装置に組み込まれ、前記原稿搬送装置により搬送される原稿の裏面情報を読取る密着型の第二イメージセンサを備えた画像形成装置に関する。
【背景技術】
【０００２】
原稿の両面を読取って印刷する複写機等の画像形成装置においては、２つの読取手段により同時に原稿の両面を読取るため、読取り動作のスピードアップが課題となっている。
この一例として、原稿の片面読取り時の処理速度を向上させることを目的とした画像読取装置が提案されている（特許文献１参照）。
この画像読取装置は、第１の原稿搬送経路と第２の原稿搬送経路の分岐点に備えられ、それぞれの原稿搬送経路にシート状原稿を選択的に搬送可能な切換手段と、第１の原稿搬送経路を搬送されるシート状原稿の片面の画像を読取る第１の画像読取手段（ＣＩＳ１）と、第１の原稿搬送経路を搬送されるシート状原稿の反対側面の画像を読取る第２の原稿読取手段（ＣＩＳ２）とを備えている。
【０００３】
この画像読取装置は、片面流し読みモード時に２つの原稿搬送経路に原稿を交互に搬送し、２つの画像読取手段（ＣＩＳ１，２）により、同時に２枚の原稿の画像を読取る。
また、これに加えて、画像読取り時以外の原稿搬送速度を所定の原稿読取り速度より増速することにより、従来の両面同時読取り可能な画像読取装置に較べて、片面流し読み時の原稿処理速度を向上させることができる。
【０００４】
また、原稿読取スピードの低下を防止し、かつ生産性を改善することを目的とした画像読取装置も提案されている（特許文献２参照）。
この画像読取装置は、原稿の一方面の画情報を読取って画像信号を出力する縮小光学系を利用した電荷結合素子（ＣＣＤ：Charge Coupled Device）型のＣＣＤイメージセンサ（ＣＣＤ）と、原稿の他方面の画情報を読取って画像信号を出力する密着型イメージセンサ（ＣＩＳ：Contact Image Sensor）と、原稿の片面を読取るか両面を読取るかの原稿読取モードを選択する選択手段及び各手段の動作を制御する制御手段等を具備している。
【０００５】
このように構成された画像読取装置は、原稿表面と原稿裏面を同時に読取る場合、ＣＩＳの動作に最適な読取スピードに設定すると、原稿の両面読取速度が低下するのを防止可能となる。
また、原稿表面又は原稿裏面のみを読取る場合には、ＣＣＤもしくはＣＩＳ各センサの動作に最適な読取スピードに設定すると、原稿読取スピードの低下を防止し、かつ生産性を改善することができるというものである。
【先行技術文献】
【特許文献】
【０００６】
【特許文献１】特開２００６−１４０９０２号公報
【特許文献２】特開２００７−７４３６７号公報
【発明の概要】
【発明が解決しようとする課題】
【０００７】
ところで、特許文献１のように２つのＣＣＤを備えた画像読取装置、また特許文献２の如くＣＣＤ及びＣＩＳを備えた画像読取装置は、通常、電源投入時や省エネモードからの復帰時に初期化が実行される。
この初期化では、ＣＣＤの場合、画素毎に感度のばらつきがあるので、読取られた原稿の画像データを適正値に補正するためのシェーディング補正がなされる。また、ＣＩＳにおいては、各センサチップ間にばらつきがあることから、それらを吸収すべく原稿から読取られた画像データに対してシェーディング補正が行われる。
【０００８】
さらに、このシェーディング補正時、再現したい階調の範囲内で、常に最大のダイナミックレンジ（階調再現性）を確保できるよう、関係パラメータを調整する自動ゲイン調整（ＡＧＣ：Automatic Gain Control）が実行される。
このシェーディング補正やゲイン調整は、数秒〜数十秒かかるのが一般であり、上記特許文献１及び２の画像読取装置の何れも、この初期化動作を短縮できないことから、原稿読取のスピードアップには一定の限界があった。
【０００９】
即ち、この種の画像読取装置は、電源投入時以降、原稿搬送機構が所定の状態にセットされたときに、前述のゲイン調整を実行する。このゲイン調整は、画像読取装置の機種によって若干の差異はあるが、前記原稿搬送機構や光学系等を覆うＤＰ（Document Processor）カバーが閉じられ、前記ＣＩＳに外光からの迷光が入らない条件下で行う必要がある。
【００１０】
よって、電源投入時にＤＰカバー１２（図１参照）が閉じられていると、ゲイン調整が可能な状態にあるので、スタートキーが操作された時点で直ぐにゲイン調整を実行し、原稿の読取は待機させていた。
このゲイン調整は、原稿の片面読取または両面読取モードに関係なく実行されるので、前述の如く数秒〜数十秒間の待機を強いられ、原稿読取スピードを遅くすることから、ユーザーに焦燥感を抱かせるという問題があった。
【００１１】
本発明の目的は、上述の問題に鑑み、片面読取モードが選択されてスタートキーが操作されたとき、ゲイン調整が可能な状態であっても直ぐにゲイン調整を実行せず、原稿の表面情報の読取りを優先させて原稿読取動作をスピードアップすることができる画像形成装置を提供する点にある。
【課題を解決するための手段】
【００１２】
上述の目的を達成するため、本発明による画像形成装置の第一の特徴構成は、特許請求の範囲の書類の請求項１に記載したとおり、原稿搬送装置により搬送される原稿の表面情報をミラー走査方式の光学系を介して読取る第一イメージセンサを備え、電源投入時に当該第一イメージセンサのゲイン調整を実行する第一画像入力部と、前記原稿搬送装置に組み込まれ、前記原稿搬送装置により搬送される原稿の裏面情報を読取る密着型の第二イメージセンサを備え、電源投入時以降、前記原稿搬送装置が所定の状態にセットされたときに当該第二イメージセンサのゲイン調整を実行する第二画像入力部と、前記原稿搬送装置で搬送される原稿の情報を、前記第一画像入力部と第二画像入力部により同時に読取る両面読取モードと、前記第一画像入力部のみで読取る片面読取モードの何れかを選択する読取モード設定部と、原稿読取動作を起動するスタートキーを含む操作部と、を備えている画像形成装置であって、前記片面読取モードが選択されて前記スタートキーが操作されると、前記第二画像入力部は、前記原稿搬送装置が所定の状態にセットされ、ゲイン調整が可能な状態であっても、ゲイン調整の実行を中断または中止するように構成されていることを特徴とする点にある。
【００１３】
前記第二画像入力部は、前記片面読取モードが選択されて前記スタートキーが操作されると、前記原稿搬送装置が所定の状態にセットされ、ゲイン調整が可能な状態であっても、ゲイン調整の実行を中断または中止するので、原稿搬送装置により搬送される原稿の表面情報を第一イメージセンサによって読取ることができる。
よって、前記片面読取モードが選択されて前記スタートキーが操作されたとき、従来のように、ゲイン調整が可能な状態であると直ぐにゲイン調整を実行することにより、原稿の読取を待機させていた不具合が解消され、原稿の読取動作がスピードアップされる。
【００１４】
本発明による画像形成装置の第二の特徴構成は、特許請求の範囲の書類の請求項２に記載したとおり、上述の第一の特徴構成に加えて、前記第二画像入力部は、前記片面読取モードで原稿の読取動作の終了後にゲイン調整を実行するように構成されていることを特徴とする点にある。
【００１５】
前記第二画像入力部は、前記片面読取モードで原稿の読取動作が終了した後にゲイン調整を実行するので、原稿の片面の読取りが終了してから必要なゲイン調整を行うことができ、このゲイン調整に要する時間分だけ原稿読取動作が早められる。
【発明の効果】
【００１６】
以上説明したとおり、本発明によれば、片面読取モードが選択されてスタートキーが操作されたとき、ゲイン調整が可能な状態であっても直ぐにゲイン調整を実行せず、原稿の表面情報の読取りを優先させて原稿読取動作をスピードアップできる画像形成装置を提供することができるようになった。
【図面の簡単な説明】
【００１７】
【図１】画像形成装置を示す縦断面図
【図２】第二画像入力部の斜視図
【図３】画像形成装置の電気的構成を示すブロック図
【図４】画像形成装置の初期化動作を説明するためのフローチャート
【図５】画像形成装置のプリント動作を説明するためのフローチャート
【発明を実施するための形態】
【００１８】
以下、本発明による画像形成装置について説明する。
画像形成装置は、電子写真方式の複写機に適用されたもので、図１に示すように、この複写機の上部に画像読取装置２が設けられている。この画像読取装置２は、原稿を載置する原稿テーブル２１と、原稿を画像読取位置４０，５０に搬送し、読取った原稿を排出する原稿搬送機構３と、原稿の表面を読取る本発明の第一画像入力部としての第一画像読取部４と、原稿の裏面を読取る本発明の第二画像入力部としての第二画像読取部５と、不図示の操作部を備えて構成されている。
【００１９】
原稿搬送機構３は、複数の原稿から一枚の原稿を取り出すピックアップローラ３１と、ピックアップローラ３１により原稿が重送された場合に一枚に分離する分離ローラ３２と、分離された原稿の先端を整えるレジストローラ３３と、この原稿を下流側の画像読取位置４０，５０に搬送する給紙ローラ３４と、読取られた原稿を排出する排紙ローラ３５と、排紙された原稿を収容する排紙トレイ３６で構成される。
【００２０】
原稿搬送機構３は、プラテンローラ１３、光学系及び回路各部等とともにＤＰカバー１２により覆われている。このＤＰカバー１２は、給紙ローラ３４の近傍に設けたヒンジにより基端が枢支されて、開閉自在となっている。
【００２１】
このＤＰカバー１２は、図１に示す如く閉じられたとき、ピックアップローラ３１、分離ローラ３２、レジストローラ３３、給紙ローラ３４及びプラテンローラ１３等を覆う。これにより、第一画像読取部４、第二画像読取部５、コンタクトガラス３７、基準白色板３８、ガラス３９等に外光が入るのが防止される。
なお、このＤＰカバー１２の近傍には、ＤＰカバー１２の開閉を検知する開閉検知センサが設けられており、開閉に応じた検知信号が後述のシステム制御部１０に送出されるようになっている。
【００２２】
第一画像読取部４は、原稿を照明する第一光源４１と、原稿からの反射光を取り込む第一ミラー４２と、第二ミラー４３と、第三ミラー４４と、前記第三ミラー４４からの光線束をリニアＣＣＤ（以下、ＣＣＤとも記す。）４６に合焦させるレンズ４５と、画像情報を読取る本発明の第一イメージセンサとしてのＣＣＤ４６を備えて構成され、コンタクトガラス３７上の第一画像読取位置４０で原稿表面の画像情報を読取る。
【００２３】
図２に示すように、第二画像読取部５は、密着イメージセンサである本発明の第二イメージセンサとしてのＣＩＳユニット（ＣＩＳ）５１と、このＣＩＳ５１に対向配置された搬送ローラ５２で構成されている。
ＣＩＳ５１は、このＣＩＳ５１を制御する制御部が搭載されたＣＣＤ基板５３と、このＣＣＤ基板５３上に主走査方向に沿って複数のセンサチップが配列された受光素子５４と、この受光素子５４の下部に対向配置されたロッドレンズアレイ５５と、このロッドレンズアレイ５５の両側方に配置されたキセノンランプでなる第二光源５７と、コンタクトガラス５６とがサイドケーシング５８に支持されて構成されている。
【００２４】
搬送ローラ５２は、表面に白色塗料が塗布され、シェーディング補正用の白色基準データを読取るための白色基準チャートとして利用される。
【００２５】
第二画像読取部５は、第二画像読取位置５０で、第二光源５７からの照射光のうち、コンタクトガラス５６の下方を搬送される原稿Ｄからの反射光を、ロッドレンズアレイ５５で集光して受光素子５４で受光することにより原稿Ｄ裏面の画像情報を読取る。
【００２６】
図３に示すように、この複写機１は、ネットワークを介してコンピュータ端末と接続するネットワーク制御部と（図示省略）、コンピュータ端末から入力された画像データに基づいてトナー像を形成し、当該トナー像を用紙に転写定着して、当該用紙を出力するプリンタエンジン８と、このプリンタエンジン８を制御するエンジン制御部８０と、画像データを処理するＡＳＩＣ（Application Specific Integrated Circuit）を備えた画像処理部９と、原稿読取部２を制御する読取制御部２０と、操作部７を制御する操作制御部７０と、画像データ等を記憶する不図示のメモリと、このメモリを制御するとともに複写機１を統括制御するシステム制御部１０とが、バス（例えば、コマンドバス（図中細線で示すバス）１００及び画像バス（図中太線で示すバス）１０１）を介してそれぞれ接続されている。
【００２７】
ネットワーク制御部、エンジン制御部８０、操作制御部７０及びシステム制御部１０はそれぞれ、ＣＰＵとＣＰＵの動作プログラムを格納したＲＯＭとＣＰＵの作業領域であるＲＡＭと周辺回路を備えた基板にて構成されている。
【００２８】
なお、読取制御部２０は、操作部７で各種モードが入力設定されたときに、操作制御部７０からシステム制御部１０を介して送出されてくる設定データを受けて、原稿読取部２の動作を制御し、原稿搬送機構３からの原稿を読取らせて、その画像データを画像処理部９に送出する。
設定モードには、第一画像読取部４と第二画像読取部５とにより同時に原稿を読取る両面読取モードと、第一画像読取部４のみで読取る片面読取モードを含んでいる。
この片面読取モードは、通常の片面読取プログラムに加え、コピーキーが操作されたとき、開閉検知センサからＤＰカバー１２閉の検知信号を受けて、ゲイン調整が可能な状態であっても直ぐにゲイン調整を実行せず、原稿の表面情報の読取りを優先させるプログラムを含んでいる。
【００２９】
操作制御部７０は、操作部７のハードキー７ｂまたは表示部７ａのタッチパネルで各種情報が入力されると、システム制御部１０に指令信号を送出する。また、システム制御部１０から表示指令が送出されてくると、操作部７の表示部７ａに複写機１がプリント動作中である旨を示す画面を表示させる。
【００３０】
この表示部７ａには、タッチパネルが設けられており、メニューを表示させて各種の入力が可能となっている。このメニューには、コピー初期設定、プリンタ初期設定、マシン初期設定等の他、原稿読取設定が含まれる。この原稿読取設定には、原稿の片面を読取らせる片面読取設定、両面を同時に読取らせる両面読取設定がある。
【００３１】
原稿読取装置２は、図１に示すように、原稿載置用のコンタクトガラス３７に原稿が載置されるときには、第一光源４１、ミラー４２、４３、４４が原稿の先端側から後端側に走査（副走査）して第一画像読取部４により原稿の画像情報を読取るミラー走査モードで作動する。
【００３２】
また、原稿搬送機構３により原稿が搬送されるときには、第一光源４１、ミラー４２、４３、４４が図中実線で示された位置に固定され、原稿搬送機構３により搬送（副走査）される原稿の画像情報を第一画像読取部４または第二画像読取部５により読取るシートスルーモードで作動するように切替可能に構成されている。
従って、両面原稿をシートスルーモードで読取るときには、第一画像読取部４及び第二画像読取部５によりほぼ同時に原稿の両面の画像情報が読取られる。
【００３３】
それぞれの画像読取部４、５には、画素毎に感度ばらつきのあるＣＣＤ４６，受光素子５４で読取られた原稿の画像データを適正値に補正するためのシェーディング補正部（図示せず）が設けられている。
このシェーディング補正部は、例えば、補正のための基準データとして予め白色基準データ及び黒色基準データをサンプリングしておき、実際の原稿を読取った画像データをそれらの基準データに基づいて補正する。
【００３４】
第一画像読取部４は、補正時において、図１の右方向（第一ミラー４２が基準白色板３８に対向する位置）に移動し、第一光源４１により基準白色板３８が照射される。その反射光をＣＣＤ４６が読取ることで補正のための第１の光量補正基準データが出力される。この第１の光量補正基準データで原稿の表面から読取った第１の画像データがシェーディング補正される。
このように、ＣＣＤ４６は、単一のセンサチップで構成され、また光源４１も離隔した位置にあるので、原稿の読取動作の初期にシェーディング補正データをサンプリングすれば十分である。
【００３５】
これに対して、受光素子５４は、複数のセンサチップで構成され、しかも熱源となるランプ５７が近傍に配置されているので、その出力特性の変動が激しく、しかも各センサチップ間のばらつきが変動することから、それらを吸収すべく定期的にシェーディング補正データをサンプリングする必要がある。
【００３６】
以上を踏まえて、第一画像読取部４では、原稿の画像情報を読取る初期にシェーディング補正のための基準データがサンプリングされる。
つまり、第一光源４１が消灯された状態で黒色基準データがサンプリングされ、次に第一光源４１が点灯された状態で基準白色板３８からの反射光が白色基準データとしてサンプリングされる。以降はこのときに読取られた基準データに基づいて原稿から読取られた画像データに対してシェーディング補正が行なわれる。
【００３７】
これに対して、第二画像読取部５では、例えば、原稿搬送機構３により連続して搬送される原稿と原稿の間毎に白色基準データまたは黒色基準データの何れかが交互にサンプリングされる。
即ち、初期に第二光源５７が消灯された状態で黒基準データがサンプリングされ、次に第二光源５７が点灯された状態で搬送ローラ５２からの反射光が白色基準データとしてサンプリングされる。
その後、原稿搬送機構３により搬送される原稿の後端から次の原稿の先端までの間で、黒色基準データと白色基準データが交互にサンプリングされる。黒色基準データのサンプリングに際しては、第二光源５７が消灯され、サンプリング終了後に再点灯される。以降は直前に読取られた基準データに基づいて原稿から読取られた画像データに対してシェーディング補正が行なわれる。
【００３８】
なお、このシェーディング補正における補正値は、出力データを受けるシステム制御部１０が演算処理して求めるようになっている。
例えば、基準の搬送ローラ５２からの反射光がシェーディング補正用の白色基準データＤＷＨとして読取られると、［数１］に示すように、光源５７を点灯する前に読取った黒色基準レベルＤＢＫと上述の白色基準データＤＷＨに基づいて読取った原稿の画像データＤＩＮとを演算する。
【００３９】
【数１】
2010166318.tif 000003
【００４０】
ここに、Ｃはイメージセンサの出力データＤＩＮから補正出力データＤＯＵＴへ変換出力する際のビット変換定数である。
これにより、補正出力データＤＯＵＴが、シェーディング補正値として得られるので、この補正値に基づいてシェーディング補正を行うことができる。
【００４１】
また、システム制御部１０は、ＣＣＤ４６及び受光素子５４について、自動ゲイン調整（ＡＧＣ）を行う。
ＣＣＤ４６の読取り出力である画像信号は、図示省略しているが、ゲイン調整部としてのアンプに入力されて増幅される。アンプで増幅された画像信号は、Ａ／Ｄコンバータに入力され、アナログ信号である画像信号がデジタル信号に変換されてシステム制御部１０に与えられる。
【００４２】
同様にして、受光素子５４の読取り出力である画像信号は、アンプに入力されて増幅される。アンプで増幅された画像信号は、Ａ／Ｄコンバータに入力され、アナログ信号である画像信号がデジタル信号に変換されてシステム制御部１０に与えられる。
一方、システム制御部１０からは、各アンプにゲイン調整信号が供給されている。これにより、各アンプはシステム制御部１０によりＡＧＣがかけられてゲイン値が設定されることにより、キャリブレーションが行われる。
【００４３】
ところで、このＡＧＣは、電源が投入されたとき、システム制御部１０が初期化の処理として実行する。
このＡＧＣは、再現したい階調の範囲内で、常に最大のダイナミックレンジ（階調再現性）を確保できるよう、セット毎に適宜、関係パラメータを調整するものである。この調整は、黒レベル、白レベル及び色レベルの３種の複合であり、ＣＣＤ４６及び受光素子５４ともに同じ処理がなされる。
【００４４】
ここで、受光素子５４であるＣＩＳ５１側につい説明する。
【００４５】
まず、黒レベル調整は、ランプ５７をオフした状態での出力レベルについて、受光素子５４から出力される信号を増幅する増幅器（ＡＦＥ）のゲイン設定のオフセット機能を用いて調整する。
また、黒レベル調整は、ＲＧＢの３色について行われる。実際の調整は、ランプ５７をオフした状態での出力が目標値と合うよう、ＣＩＳ５１のＡＦＥのオフセット設定を調整することにより行う。
【００４６】
次に、白レベル調整は、ランプ５７をオンにした状態で、搬送ローラ５２の白基準読取り時の出力レベルを電子シャッターの開口時間で調整する。
なお、白レベル調整は、色毎の調整はできないため、最も出力レベルの高い１色について調整する。実際の調整は、ランプ５７をオンにした状態での白基準の読取り時の出力が目標値と合うよう、ＣＩＳ５１のＴｉｎｔ（明度）信号の区間幅を調整することにより行う。
【００４７】
続いて、色レベル調整は、ランプ５７をオンにした状態での白基準板（搬送ローラ５２）の読取り時の出力レベルを、ＡＦＥのゲイン増幅で調整する。この色レベル調整は、白レベル調整で調整した以外の２色について行う。
実際の調整は、ランプ５７をオンにした状態での白基準読取り時の出力が目標値と合うよう、ＣＩＳ５１のＡＦＥのゲイン設定を調整することにより行う。
【００４８】
このように構成された複写機１は、原稿読取装置２におけるＣＣＤ４６，受光素子５４が、画素毎に感度のばらつきがあるので、電源投入時や省エネモードからの復帰時にＡＧＣをかける初期化を実行するようになっている。
【００４９】
次に、上記複写機の初期化動作について、図４に示すフローチャートを参照しつつ詳述する。
ユーザーにより複写機１の電源が投入されるか、省エネモードから復帰すると（ＳＡ１）、システム制御部１０は、最初にＣＣＤ４６側のＡＧＣを実行する（ＳＡ２）。これにより、ＣＣＤ４６について、前述のような処理によりゲインが調整される。
【００５０】
つぎに、システム制御部１０は、開閉検知センサの検知信号をチェックし、ＤＰカバー１２が閉じられているか否かを判別する（ＳＡ３）。
ここで、ＤＰカバー１２が閉じられているときは、ＣＩＳ５１側の受光素子５４のＡＧＣを実行し（ＳＡ４）、定着器の定着温度が適正値か否かを判別する（ＳＡ５）。
【００５１】
一方、開閉検知センサの検知信号から、ＤＰカバー１２が閉じられていないときは、受光素子５４のＡＧＣを実行せず、ステップＳＡ５に進む。そして、定着器の定着温度が適正値か否かを判別し、定着温度が適正値になった時点でコピー可能状態とする（ＳＡ６）。
このときは、ＣＣＤ４６のゲインが調整されているので、原稿の表面側の読取りが可能である。
【００５２】
この後、システム制御部１０は、受光素子５４のＡＧＣが終了したか否かを判別する（ＳＡ７）。受光素子５４のＡＧＣが終了いない場合、ステップＳＡ３に進み、システム制御部１０は、開閉検知センサの検知信号に基づき、再びＤＰカバー１２の開閉を判別する（ＳＡ３）。
【００５３】
そして、ＤＰカバー１２が閉じられたとき、受光素子５４のＡＧＣを実行した後（ＳＡ４）、定着器の定着温度を判別する（ＳＡ５）。このときは、受光素子５４のＡＧＣが実行されているので、定着温度が適正値になった時点でコピー可能状態とする。
この後、次のステップＳＡ７で、受光素子５４のＡＧＣが終了したと判別し、一連の初期化動作を終了する。
【００５４】
このように初期化がなされると、コピー可能状態になるが、複写機１の使用態様はユーザーによって異なる。
例えば、電源が投入された後、直ぐにＤＰカバー１２が開けられたり、開けた後に閉められたり、開けたまま暫く放置されることもある。
ＤＰカバー１２が開けられると、前述のように、複写機１内へ迷光が入るので、第一画像読取部４及び第二画像読取部５の特質に応じたＡＧＣ並びにコピー設定に合わせたプリント動作を実行しなければならない。
【００５５】
次に、上記複写機のプリントモードにおける動作について、図５に示すフローチャートを参照しつつ詳述する。
システム制御部１０は、プリント動作の待機中において（ＳＡ１１）、開閉検知センサの検知信号をチェックし、ＤＰカバー１２が閉じられているか否かを判別する（ＳＡ１２）。
【００５６】
ここで、ＤＰカバー１２が閉じられていると判別したときは、前述の受光素子５４のＡＧＣを開始する（ＳＡ１３）。そして、操作制御部７０の出力をチェックし、コピーキーの操作が有るか否かを判別する（ＳＡ１４）。
【００５７】
一方、ＤＰカバー１２が開けられているときは、ＣＩＳ５１に迷光が入るので、受光素子５４のＡＧＣを開始せずにステップＳＡ１４へ進み、コピーキーの操作が有るか否かを判別する。
ここで、コピーキーの操作が無いときは、ステップＳＡ１２に進み、再びＤＰカバー１２が閉じられているか否かを判別する。
【００５８】
この後、コピーキーの操作が有ると、システム制御部１０は、当該操作によるコピーが両面コピーの選択か否かを判別する（ＳＡ１５）。
ステップＳＡ１５において、両面コピーが選択されていると、システム制御部１０はＡＧＣの調整が完了したか否かを判別する（ＳＡ１６）。
前述の受光素子５４のＡＧＣの調整が未だ開始されていない場合、システム制御部１０は、前述の受光素子５４のＡＧＣを開始する（ＳＡ２７）。
【００５９】
そして、ＣＣＤ４６及び受光素子５４のＡＧＣの調整が完了した時点で両面コピーを実行する（ＳＡ１７）。なお、両面コピーが選択されている場合、ＤＰカバー１２が閉じられていない状態でコピーキーの操作が有っても、ＤＰカバー１２が閉じられるまでコピーは開始されない。
この後、両面コピーが終了したか否かを判別し（ＳＡ１８）、両面コピーが終了した時点で一連の両面コピー動作を終了する。
これにより、ＤＰカバー１２が閉じられた状態で、原稿の両面が読取られた後、用紙の両面に画像がコピーされる。
【００６０】
一方、ステップＳＡ１５において、両面コピーが選択されていないとき、システム制御部１０はＣＣＤ４６側のＡＧＣの調整が完了したか否かを判別する（ＳＡ１９）。
ＳＡ１９において、ＣＣＤ４６側のＡＧＣの調整が完了している場合、システム制御部１０は、ＤＰカバー１２が開けられている状態であるか否かを判別する（ＳＡ２８）。
【００６１】
ステップＳＡ２８において、ＤＰカバー１２が開けられている場合、ステップＳＡ２０に進む。
つまり、このときは、片面コピーが選択されているので、ＤＰカバー１２が開けられていても、ＣＣＤ４６側のＡＧＣの調整が完了した時点で片面コピーを実行する（ＳＡ２０）。
この後、片面コピーが終了したか否かを判別し（ＳＡ２１）、片面コピーが終了した時点で一連の片面コピー動作を終了する。
【００６２】
これにより、ＤＰカバー１２が開けられている状態でも、原稿の表面が読取られた後、用紙の片面に画像がコピーされる。
よって、片面コピーが選択されたときは、直ぐに原稿の表面が読取られるので、原稿の読取動作がスピードアップされ、コピー全体の時間が短縮される。
【００６３】
一方、ステップＳＡ２８において、ＤＰカバー１２が閉じられていることによって、受光素子５４のＡＧＣの調整の実行が可能な状態であるとき、または、受光素子５４のＡＧＣの調整が実行中であるとき、システム制御部１０は、受光素子５４のＡＧＣの調整の実行を開始せず（つまりゲイン調整の実行を中止し）、または、実行中の受光素子５４のＡＧＣの調整の実行を中断する（ＳＡ２２）。そして、直ぐに片面コピーを実行させる（ＳＡ２３）。
【００６４】
この後、片面コピーが終了したか否かを判別し（ＳＡ２４）、片面コピーが終了した時点で、受光素子５４のＡＧＣの調整が中断していた場合は、当該調整を再開し（ＳＡ２５）、このＡＧＣの調整が完了した時点で（ＳＡ２６）、一連の片面コピー動作を終了する。
よって、従来のように、ＡＧＣが可能な状態であると直ぐにＡＧＣを実行して原稿の読取を待機させる、所謂待機時間がなくなり、原稿の読取動作がスピードアップされる。この結果、コピー時間が大幅に短縮される。
【００６５】
以上の説明より、本発明による画像形成装置は、原稿搬送装置３により搬送される原稿の表面情報をミラー走査方式の光学系を介して読取る第一イメージセンサ４６を備え、電源投入時に当該第一イメージセンサ４６のゲイン調整を実行する第一画像入力部４と、原稿搬送装置３に組み込まれ、原稿搬送装置３により搬送される原稿の裏面情報を読取る密着型の第二イメージセンサ５１を備え、電源投入時以降、原稿搬送装置が所定の状態にセットされたときに当該第二イメージセンサ５１のゲイン調整を実行する第二画像入力部５と、原稿搬送装置３で搬送される原稿の情報を、第一画像入力部４と第二画像入力部５により同時に読取る両面読取モードと、第一画像入力部４のみで読取る片面読取モードの何れかを選択する読取モード設定部と、原稿読取動作を起動するスタートキーを含む操作部７とを備え、片面読取モードが選択されてスタートキーが操作されると、第二画像入力部５は、原稿搬送装置３が所定の状態にセットされ、ゲイン調整が可能な状態であっても、ゲイン調整の実行を中断または中止するように構成されている。
【００６６】
また、第二画像入力部５は、片面読取モードで原稿の読取動作の終了後にゲイン調整を実行するように構成されている。
【００６７】
上述の実施形態では、本発明を適用した複写機１について説明したが、本発明は複写機１単体にしか適用できないものではない。つまり、所謂複合機などが備える原稿読取部に本発明を適用することができる。
【００６８】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【符号の説明】
【００６９】
３：原稿搬送装置
４：第一画像入力部
５：第二画像入力部
４６：第一イメージセンサ
５１：第二イメージセンサ
【図１】
2010166318.tif 000004
【図２】
2010166318.tif 000005
【図３】
2010166318.tif 000006
【図４】
2010166318.tif 000007
【図５】
2010166318.tif 000008